(57)【要約】【課題】  メダル受け皿にメダル排出口とメダル収容箱を保持する保持部材を備え、メダル受け皿の下部にメダル収容箱を装着し、メダル排出口からメダル収容箱にメダルを移し替えることで、メダルを移し替える作業を楽にすることができる遊技機を提供することを目的とする。【解決手段】  遊技機本体１００が備えるメダル受け皿１０１は、メダル払い出し口１０２から払い出されるメダルを一時的に貯留するものである。メダル受け皿１０１の下部には、鉛直下方向に突出したメダル収容箱を保持する保持部材１０３ａ，１０３ｂもしくは保持部材１０４ａ，１０４ｂが設けられている。さらに、メダル受け皿１０１の底面に備えられたメダル排出口４００を塞ぐような形で遊技機本体１００側へ移動可能な移動板２００が設けられている。【選択図】  図１
2006075243.tif 000002
【特許請求の範囲】
【請求項１】
遊技機本体より遊技者に払い出されるメダルを貯留するメダル受皿を備えた遊技機において、
前記メダル受皿の下部に設けられ前記メダルを収容する収容箱を保持する保持部と、
前記メダル受皿から前記収容箱へメダルを排出する排出口とを備えた遊技機。
【請求項２】
前記保持部は、前記メダル受け皿から下へ突出した形状を有し、前記収容箱が備える取っ手の両端を保持することで前記メダル受け皿下部に前記収容箱を装着させることを特徴とする請求項１または２記載の遊技機。
【請求項３】
前記保持部は、折りたたみ可能なことを特徴とする請求項２記載の遊技機。
【請求項４】
前記排出口は、前記排出口を開閉させると共に前後に移動自在な開閉板を備え、前記開閉板は、前記収容箱を前記メダル受け皿下部に装着させると同時に前記収容箱が前記開閉板を前記遊技機本体側へ押し込むことで排出口が開くようにしたことを特徴とする請求項１記載の遊技機。
【請求項５】
前記開閉板は、該開閉板に対して鉛直下方向に突起した突起部を備え、前記収容箱を前記メダル受け皿下部に装着させる際に、前記収容箱が前記突起部に接触し、前記突起部を遊技機本体側へ押し込むことで前記開閉板が移動することを特徴とする請求項４記載の遊技機。
【請求項６】
前記排出口は、前記排出口を開閉させると共に遊技機本体に対して左右自在に可動する開閉板と、該開閉板に連結し左右に可動するレバーとを備え、前記レバーを左右に可動させることで、前記開閉板が左右に可動して排出口を開閉させるようにしたことを特徴とする請求項１記載の遊技機。
【請求項７】
前記排出口は、前記排出口を開閉させると共に遊技機本体に対して左右自在に可動する開閉板と、該開閉板に連結し左右に可動するレバーと、前記開閉板の可動をロックするロック部材とを備え、
前記収容箱を前記保持部に保持させる時に、前記収容箱が前記開閉板の可動のロックを解除することを特徴とする請求項１記載の遊技機。
【発明の詳細な説明】
【技術分野】
【０００１】
本発明は、メダル受け皿を備えた遊技機に関し、特に、メダル収容箱を装着することができる保持部材を備えた遊技機に関する。
【背景技術】
【０００２】
従来、遊技機の前面には、遊技機から払い出されるメダルを一時的に貯留しておく受け皿が設けられている。この受け皿がメダルで満杯状態になった場合やゲームを終了する場合には、遊技者は、メダルを受け皿からドル箱といったメダル運搬容器に移し替えてメダルを運んでいる。
【０００３】
上記に示すような作業では、片方の手でドル箱を支え、片方の手でメダルをドル箱に移し替えるといった作業を強いられている。そこで、こういった問題を解消するために、特許文献１に記載されている発明では、受け皿にドル箱を係合させるためのフックが設けられ、フックにドル箱の返し部を係合させることで、ドル箱の上縁が受け皿の上縁と同等又はそれ以下の高さとなるため、受け皿からドル箱へメダルを移し替える際に作業を楽にすることができる。
【特許文献１】特開２００３−２１０８２３号公報
【発明の開示】
【発明が解決しようとする課題】
【０００４】
しかしながら、特許文献１に記載されている発明では、ドル箱の上端周縁部に下向きに折り返し形成された返し部とフックとを係合させることでドル箱を支えているが、遊技者が繰り返しフックを利用してドル箱へメダルを移し替える作業を行うと、メダルを移し替えたドル箱の重量によってフックが破損してしまう恐れがある。
【０００５】
本発明は係る問題に鑑みてなされたものであり、メダル受け皿にメダル排出口とメダル収容箱を保持する保持部材を備え、メダル受け皿の下部にメダル収容箱を装着し、メダル排出口からメダル収容箱にメダルを移し替えることで、メダルを移し替える作業を楽にすることができる遊技機を提供することを目的とする。
【課題を解決するための手段】
【０００６】
上記目的を達成するために、請求項１記載の遊技機は、遊技機本体より遊技者に払い出されるメダルを貯留するメダル受皿を備えた遊技機において、メダル受皿の下部に設けられメダルを収容する収容箱を保持する保持部と、メダル受皿から収容箱へメダルを排出する排出口とを備えた遊技機。
【０００７】
請求項２記載の発明は、請求項１記載の遊技機であって、保持部は、メダル受け皿から下へ突出した形状を有し、収容箱が備える取っ手の両端を保持することでメダル受け皿下部に収容箱を装着させることを特徴とする。
【０００８】
請求項３記載の発明は、請求項２記載の遊技機であって、保持部は、折りたたみ可能なことを特徴とする。
【０００９】
請求項４記載の発明は、請求項１記載の遊技機であって、排出口は、排出口を開閉させると共に前後に移動自在な開閉板を備え、開閉板は、収容箱をメダル受け皿下部に装着させると同時に収容箱が開閉板を遊技機本体側へ押し込むことで排出口が開くようにしたことを特徴とする。
【００１０】
請求項５記載の発明は、請求項４記載の遊技機であって、開閉板は、該開閉板に対して鉛直下方向に突起した突起部を備え、収容箱をメダル受け皿下部に装着させる際に、収容箱が突起部に接触し、突起部を遊技機本体側へ押し込むことで開閉板が移動することを特徴とする。
【００１１】
請求項６記載の発明は、請求項１記載の遊技機であって、排出口は、排出口を開閉させると共に遊技機本体に対して左右自在な開閉板と、該開閉板に連結し左右に可動するレバーとを備え、レバーを左右に可動させることで、開閉板が左右に可動して排出口を開閉させるようにしたことを特徴とする。
【００１２】
請求項７記載の発明は、請求項１記載の遊技機であって、排出口は、排出口を開閉させると共に遊技機本体に対して左右自在に可動する開閉板と、該開閉板に連結し左右に可動するレバーと、開閉板の可動をロックするロック部材とを備え、収容箱を保持部に保持させる時に、収容箱が開閉板の可動のロックを解除することを特徴とする。
【発明の効果】
【００１３】
以上の説明から本発明の遊技機は、メダル受け皿にメダル排出口とメダル受け皿の下部にメダル収容箱を装着することができる保持部材を設けることで、メダル収容箱へのメダルの移し替え作業を楽にすることができる。また、メダルを移し替えたメダル収容箱の重量にも耐えることができ、遊技者が繰り返し使用することができる。
【００１４】
また、メダル排出口に排出口の開閉をさせる移動板を設けることで不用意にメダルがメダル排出口から排出されることを防ぐことができる。
【発明を実施するための最良の形態】
【００１５】
次に添付図面を参照して、本発明の実施形態を説明する。
図１は、遊技機下部の正面を示した図である。図２は、メダル収容箱の構成を示した図である。
図１に示すように、遊技機本体１００が備えるメダル受け皿１０１は、メダル払い出し口１０２から払い出されるメダルを一時的に貯留するものである。メダル受け皿１０１の下部には、鉛直下方向に突出したメダル収容箱を保持する図１（ａ）には保持部材１０３ａ，１０３ｂが設けられ、図１（ｂ）には保持部材１０４ａ，１０４ｂが設けられている。さらに、メダル受け皿１０１の底面に備えられたメダル排出口４００（図３を参照）を塞ぐような形で遊技機本体１００側へ移動可能な移動板２００が設けられている。
【００１６】
図２に示すメダル収容箱３００は、短手方向の両端には取っ手３００ａ，３００ｂが設けられている。このメダル収容箱３００を保持部材へ装着する際に、図３（ａ）に示すように、取っ手３００ａを保持部材１０３ａに、取っ手３００ｂを保持部材１０３ｂへ保持させることでメダル受け皿１０１の下部に装着することができる。同様に図３（ｂ）に示す保持部材では、取っ手３００ａを保持部材１０４ａに、取っ手３００ｂを保持部材１０４ｂに保持させることでメダル受け皿１０１の下部に装着することができる。
【００１７】
図１（ａ），（ｂ）に示す保持部材はそれぞれ形状が異なり、図１（ａ）に示す保持部材１０３ａ，１０３ｂは、メダル収容箱３００の取っ手を支える部分が平らな形状をしており、保持部材１０４ａ，１０４ｂでは、メダル収容箱の取っ手を支える部分が突起した突起部１０４ｃ，１０４ｄを有する。これは、メダル収容箱の種類が複数あり、それぞれ取っ手の形状が異なることから、図１（ａ）に示す保持部材１０３ａ，１０３ｂは、取っ手部分を保持部材１０３ａ，１０３ｂの支える部分に載置することで保持することができる。よって、図１（ａ）に示す保持部材１０３ａ，１０３ｂは、全ての取っ手の形状に合致することができる。また、図４に示すように、保持部材１０３ａ，１０３ｂにメダル収容箱３００を保持させることで、メダル排出口４００の真下にメダル収容箱３００が載置されるようになる。これにより、メダルがメダル排出口４００からメダル収容箱３００へ排出することができる。
【００１８】
また、図１（ｂ）に示す保持部材１０４ａ，１０４ｂが有する突起部１０４ｃ，１０４ｄに取っ手３０１ａ，３０１ｂが有する返し部３０１ｃ，３０１ｄを差し込むことで、メダル収容箱３００が保持部材１０４ａ，１０４ｂに保持される。また、図５に示すように突起部１０４ｃ，１０４ｄにメダル収容箱３００の返し部３０１ｃ，３０１ｄが嵌めこまれることで保持部材１０４ａ，１０４ｂに保持されることで、メダル収容箱３００を固定することができ、メダル排出口４００の真下にメダル収容箱３００が載置されることでメダルをメダル排出口４００からメダル収容箱３００へ排出することができる。
【００１９】
次に、図６〜９を参照して、移動板２００の構成を説明する。
移動板２００は、図７、図８に示すようにメダル受け皿１０１の底面に設けられたメダル排出口４００を塞ぐような形でメダル受け皿１０１の下部に設けられている。また、移動板２００は、遊技機本体１００の方向に移動が可能であり、移動板２００が遊技機本体１００の方向へ移動することにより、メダル排出口４００が開いた状態になる。
【００２０】
また、図６に示されているように、移動板２００は、メダル受け皿１０１の下部に設けられているレール５００ａ、５００ｂによって保持されており、レール５００ａ、５００ｂによって前後に移動が可能となる。移動板２００は、遊技者側の部分に突起した形状のストッパ２０１ａ、２０１ｂが設けられており、ストッパ２０１ａ、２０１ｂがレール５００ａ、５０１ｂに接触することで、移動板２００の遊技機本体方向への移動が停止させられる。
【００２１】
図６に示す移動板２００の斜線部分には、メダル収容箱３００の面Ａもしくは面Ｂのどちらかの一部分が接触する。
また、図９に示すように、まず（ａ）では、メダル収容箱３００を保持部材に保持させるために、遊技機本体側に押し込もうとする。次に（ｂ）に示すように、メダル収容箱３００の面Ａもしくは面Ｂが移動板２００に接触する。さらに、（ｃ）では、メダル収容箱３００を遊技機本体側へ押し込むことで保持部材に装着させると同時に、移動板２００が遊技機本体側へ移動する。これにより、メダル排出口４００が開いた状態となる。
【００２２】
また、遊技者がメダル収容箱３００を保持部材からはずした場合に、遊技者が自ら移動板２００を手で引き出すようにしてメダル排出口４００を塞ぐ位置まで戻しても良く、図示しないが、メダル収容箱３００を保持部材からはずした時に、移動板２００にバネのような機構を設けて、自動的にメダル排出口４００を塞ぐ位置まで戻るようにしても良い。
【００２３】
次に、図１０を参照して、横方向にスライド可能な移動板の構成を説明する。
図１０に示すように、移動板５００は支持部材６００ａ，６００ｂによって支持されている。また、支持部材６００ａ，６００ｂは、メダル受け皿１０１の下部に鉛直下方向になるように取り付けられ、移動板５００がスライドして移動する時に、メダル排出口４００を開閉させられる位置に取り付けられている。移動板５００はストッパ５０１を備え、遊技機本体に対して平行移動する際に、ストッパ５０１が支持部材６００ａに接触することで、移動を停止させることができる。さらに、移動板５００にはレバー７００を備え、レバー７００を横にスライドさせることでレバー７００と連結している移動板５００も横にスライドする。
【００２４】
図１１に示すように、レバー７００はメダル受け皿１０１の下部から遊技者方向に突き出した状態であり、遊技者が必要な時に、レバー７００を横にスライドさせることで、メダル排出口４００を開けることができる。
【００２５】
次に、ロック機構を設けた横方向にスライド可能な移動板の構成を説明する。
図１２に示すように、移動板５００の移動を制限するロック部材８００が設けられている。ロック部材８００は、遊技機本体に対して垂直方向に移動が可能であり、遊技機本体側へ移動させることで、移動板５００が横方向にスライドが可能となる。また、図１３に示すように、ロック部材８００の遊技機本体側にバネ９００が設けられており、メダル収容箱３００によって遊技機本体側に押し込まれたロック部材８００は、メダル収容箱３００を保持部材からはずすとバネ９００によって移動板５００の移動を制限する位置に戻る。
【００２６】
図１３を参照して、ロック手段８００の動作を説明する。
ロック手段８００が図１３（ａ）に示す位置にある場合は、移動板５００が横方向にスライドする動作を制限している。このロックを解除するためには、メダル収容箱３００を保持部材に保持させるためにメダル受け皿１０１の下部に装着させると同時に、メダル収容箱３００で図１３（ｂ）、（ｃ）に示すように、遊技機本体側へロック部材８００を押し込むことで、移動板５００が横方向に移動可能となる。
【００２７】
本発明の実施形態によれば、メダル受け皿１０１に設けたメダル排出口４００からメダル受け皿１０１の下部に設けた保持部材に保持されたメダル収容箱３００へメダルを移し替えることができるので、メダルを移し替える作業を楽にすることができる。
【００２８】
また、メダル収容箱３００の両端の取っ手を保持することで、メダルで満杯になって相当な重量になったメダル収容箱３００でも保持することができる。
【００２９】
また、メダル排出口４００の開閉を行う移動板２００を設けることで遊技者が好きなときにメダル収容箱へメダルを楽に移し替えることができる。
【００３０】
さらに、移動板２００にロック部材８００を設けることで、遊技者がメダル収容箱３００を保持部材に装着することでロック部材８００を解除することができることから、メダル収容箱３００を保持部材に装着していない状態の時は、メダル排出口４００が塞がっている状態なので、メダルがメダル排出口４００からこぼれ落ちることを防ぐことができる。
【図面の簡単な説明】
【００３１】
【図１】本発明の遊技機の正面を示した図である。
【図２】メダル収容箱の構成を示した図である。
【図３】本発明におけるメダル収容箱を装着した時の遊技機の正面を示した図である。
【図４】本発明におけるメダル収容箱を装着した時の遊技機の斜視図である。
【図５】本発明におけるメダル収容箱を装着した時の遊技機の斜視図である。
【図６】本発明の移動板の構成を示した図である。
【図７】本発明の移動板を備えた遊技機の斜視図である。
【図８】本発明の移動板を備えた遊技機の斜視図である。
【図９】本発明の移動板の動作を示した図である。
【図１０】本発明のレバーを備えた移動板の構成を示した図である。
【図１１】本発明のレバーを備えた移動板を設置した遊技機の斜視図である。
【図１２】本発明のロック部材を備えた移動板の構成を示した図である。
【図１３】本発明のロック部材を備えた移動板の動作を示した図である。
【符号の説明】
【００３２】
１００    遊技機本体
１０１    メダル受け皿
１０２    メダル払い出し口
１０３ａ、１０３ｂ、１０４ａ、１０４ｂ    保持部材
１０４ｃ、１０４ｄ、５０１    突起部
２００、５００    移動板
３００    メダル収容箱
３００ａ、３００ｂ    取っ手
３００ｃ、３００ｄ    返し部
４００    メダル排出口
５００ａ、５００ｂ、６００ａ、６００ｂ    レール
７００    レバー
８００    ロック部材
９００    バネ
【図１】
2006075243.tif 000003
【図２】
2006075243.tif 000004
【図３】
2006075243.tif 000005
【図４】
2006075243.tif 000006
【図５】
2006075243.tif 000007
【図６】
2006075243.tif 000008
【図７】
2006075243.tif 000009
【図８】
2006075243.tif 000010
【図９】
2006075243.tif 000011
【図１０】
2006075243.tif 000012
【図１１】
2006075243.tif 000013
【図１２】
2006075243.tif 000014
【図１３】
2006075243.tif 000015